(57)【要約】【課題】各家庭のホームセキュリティを高める新たな技術の提供を目的とする。【解決手段】家庭で検出された訪問者情報や異常検出情報などのホームセキュリティ情報を収集すると、その家庭の近隣に位置する家庭に対して、収集したホームセキュリティ情報を通知する。また、予め家庭から、近隣でこういう異常事態が発生した場合にはそれを通知して欲しいということを指示する通知条件を受け取っておいて、それに該当するホームセキュリティ情報を収集すると、その通知条件の発行元の家庭に対して、そのホームセキュリティ情報を通知する。また、家庭で検出されたホームセキュリティ情報を記憶手段に登録しておいて、近隣でこのようなホームセキュリティ情報が発生している場合にはそれについて知らせて欲しいという問い合わせがあると、そのホームセキュリティ情報を検索して、それを問い合わせ元の家庭に通知する。【選択図】図２
2005062998.tif 000002
【特許請求の範囲】
【請求項１】
複数の家庭に接続されて、それらの家庭のホームセキュリティ処理を実行するホームセキュリティサーバ装置であって、
家庭で検出されたホームセキュリティ処理のための情報を収集する手段と、
上記収集したホームセキュリティ情報の収集元となった家庭の近隣に位置する家庭を検索する手段と、
上記検索した家庭に対して、上記収集したホームセキュリティ情報を通知する手段とを備えることを、
特徴とするホームセキュリティサーバ装置。
【請求項２】
複数の家庭に接続されて、それらの家庭のホームセキュリティ処理を実行するホームセキュリティサーバ装置であって、
家庭からホームセキュリティ情報の通知条件を受け取る手段と、
家庭で検出されたホームセキュリティ処理のための情報を収集する手段と、
上記収集したホームセキュリティ情報が上記通知条件の発行元である家庭の近隣に位置する家庭から収集したものであって、かつ、上記通知条件を充足するホームセキュリティ情報に該当するのかを判断する手段と、
上記該当するホームセキュリティ情報であることを判断する場合に、上記通知条件の発行元の家庭に対して、そのホームセキュリティ情報を通知する手段とを備えることを、
特徴とするホームセキュリティサーバ装置。
【請求項３】
請求項２記載のホームセキュリティサーバ装置において、
上記通知に応答して、上記通知条件の発行元の家庭から上記収集したホームセキュリティ情報の収集元の家庭に対して連絡情報が発生する場合に、それを受け渡す手段を備えることを、
特徴とするホームセキュリティサーバ装置。
【請求項４】
複数の家庭に接続されて、それらの家庭のホームセキュリティ処理を実行するホームセキュリティサーバ装置であって、
家庭で検出されたホームセキュリティ処理のための情報を収集する手段と、
上記収集したホームセキュリティ情報を記憶手段に登録する手段と、
家庭からのホームセキュリティ情報の問い合わせに応答して、その問い合わせを行った家庭の近隣に位置する家庭を検索する手段と、
上記記憶手段に登録されている上記検索した家庭のホームセキュリティ情報が上記問い合わせのあるホームセキュリティ情報に該当するのかを判断する手段と、
上記該当するホームセキュリティ情報であることを判断する場合に、上記問い合わせ元の家庭に対して、そのホームセキュリティ情報を通知する手段とを備えることを、
特徴とするホームセキュリティサーバ装置。
【請求項５】
複数の家庭に接続されて、それらの家庭のホームセキュリティ処理を実行するホームセキュリティサーバ装置で実行されるホームセキュリティ連携方法であって、
家庭で検出されたホームセキュリティ処理のための情報を収集する過程と、
上記収集したホームセキュリティ情報の収集元となった家庭の近隣に位置する家庭を検索する過程と、
上記検索した家庭に対して、上記収集したホームセキュリティ情報を通知する過程とを備えることを、
特徴とするホームセキュリティ連携方法。
【請求項６】
複数の家庭に接続されて、それらの家庭のホームセキュリティ処理を実行するホームセキュリティサーバ装置で実行されるホームセキュリティ連携方法であって、
家庭からホームセキュリティ情報の通知条件を受け取る過程と、
家庭で検出されたホームセキュリティ処理のための情報を収集する過程と、
上記収集したホームセキュリティ情報が上記通知条件の発行元である家庭の近隣に位置する家庭から収集したものであって、かつ、上記通知条件を充足するホームセキュリティ情報に該当するのかを判断する過程と、
上記該当するホームセキュリティ情報であることを判断する場合に、上記通知条件の発行元の家庭に対して、そのホームセキュリティ情報を通知する過程とを備えることを、
特徴とするホームセキュリティ連携方法。
【請求項７】
請求項６に記載のホームセキュリティ連携方法において、
上記通知に応答して、上記通知条件の発行元の家庭から上記収集したホームセキュリティ情報の収集元の家庭に対して連絡情報が発生する場合に、それを受け渡す過程を備えることを、
特徴とするホームセキュリティ連携方法。
【請求項８】
複数の家庭に接続されて、それらの家庭のホームセキュリティ処理を実行するホームセキュリティサーバ装置で実行されるホームセキュリティ連携方法であって、
家庭で検出されたホームセキュリティ処理のための情報を収集する過程と、
上記収集したホームセキュリティ情報を記憶手段に登録する過程と、
家庭からのホームセキュリティ情報の問い合わせに応答して、その問い合わせを行った家庭の近隣に位置する家庭を検索する過程と、
上記記憶手段に登録されている上記検索した家庭のホームセキュリティ情報が上記問い合わせのあるホームセキュリティ情報に該当するのかを判断する過程と、
上記該当するホームセキュリティ情報であることを判断する場合に、上記問い合わせ元の家庭に対して、そのホームセキュリティ情報を通知する過程とを備えることを、
特徴とするホームセキュリティ連携方法。
【請求項９】
請求項５ないし８のいずれか１項に記載のホームセキュリティ連携方法の実現に用いられる処理をコンピュータに実行させるためのホームセキュリティ連携プログラム。
【発明の詳細な説明】
【技術分野】
【０００１】
複数の家庭のホームセキュリティ処理を実行するホームセキュリティサーバ装置と、そのホームセキュリティサーバ装置で実行されるホームセキュリティ連携方法と、そのホームセキュリティ連携方法の実現に用いられるホームセキュリティ連携プログラムとに関する。
【背景技術】
【０００２】
近年、契約している家庭にテレビカメラや各種センサを設置して、それらの検出信号を収集する監視システムを使って、それらの家庭のホームセキュリティを実現するというビジネスが普及しつつある。
【０００３】
このような監視システムでは、テレビカメラを使って監視を行う場合には、下記の特許文献１に記載されるような技術を使って、テレビカメラで撮影された画像から動物体を検出して、それに従って侵入者を検出するようにしている。
【０００４】
そして、従来のホームセキュリティを実現するビジネスでは、監視システムが契約家庭に設置したテレビカメラや各種センサの検出信号を収集して、それに応じて要員を派遣するなどの処理を行うようにしている。
【特許文献１】特開平５−６８２４５号公報
【発明の開示】
【発明が解決しようとする課題】
【０００５】
このように、従来のホームセキュリティを実現するビジネスでは、監視システムが契約家庭で異常事態が発生することを検出すると、それに応じて要員を派遣するなどの処理だけを行っており、その情報を他の契約家庭に通知するというような処理を行ってはいない。
【０００６】
これから、従来技術に従っていると、各契約家庭は、近隣の契約家庭に火災やガス漏れなどが発生するときに、それを知ることができないとか、近隣の契約家庭に訪ねてきて欲しい販売員などが訪問するようなことがあっても、それを知ることができないとか、自宅に販売員などが訪問してくるときに、その訪問者が好ましい人物であるのか否かを知ることができないというような問題があった。
【０００７】
本発明はかかる事情に鑑みてなされたものであって、近隣で発生した異常事態などを近隣で共有できるようにすることで、各家庭のホームセキュリティを高めることができるようにする新たなホームセキュリティ技術の提供を目的とする。
【課題を解決するための手段】
【０００８】
〔１〕上記の目的を達成するために、本発明のホームセキュリティサーバ装置は、複数の家庭に接続されて、それらの家庭のホームセキュリティ処理を実行するために、（イ）家庭で検出されたホームセキュリティ処理のための情報（ホームセキュリティ情報）を収集する収集手段と、（ロ）収集手段の収集したホームセキュリティ情報の収集元となった家庭の近隣に位置する家庭を検索する検索手段と、（ハ）検索手段の検索した家庭に対して、収集手段の収集したホームセキュリティ情報を通知する通知手段とを備えるように構成する。
【０００９】
以上の各処理手段が動作することで実現される本発明のホームセキュリティ連携方法はコンピュータプログラムで実現できるものであり、このコンピュータプログラムは、半導体メモリなどのような適当な記録媒体に記録して提供したり、ネットワークを介して提供することができる。
【００１０】
このように構成される本発明のホームセキュリティサーバ装置では、家庭で検出された訪問者情報や異常検出情報などのホームセキュリティ情報を収集すると、その家庭の近隣に位置する家庭を検索して、その検索した家庭に対して、収集したホームセキュリティ情報を通知するように処理する。
【００１１】
このようにして、本発明によれば、近隣で発生した異常事態を近隣で共有できるようになる。
【００１２】
〔２〕また、上記の目的を達成するために、本発明のホームセキュリティサーバ装置は、複数の家庭に接続されて、それらの家庭のホームセキュリティ処理を実行するために、（イ）家庭からホームセキュリティ情報の通知条件を受け取る受取手段と、（ロ）家庭で検出されたホームセキュリティ処理のための情報（ホームセキュリティ情報）を収集する収集手段と、（ハ）収集手段の収集したホームセキュリティ情報が通知条件の発行元である家庭の近隣に位置する家庭から収集したものであって、かつ、通知条件を充足するホームセキュリティ情報に該当するのかを判断する判断手段と、（ニ）判断手段により、該当するホームセキュリティ情報であることを判断する場合に、通知条件の発行元の家庭に対して、そのホームセキュリティ情報を通知する通知手段と、（ホ）通知手段の通知に応答して、通知条件の発行元の家庭からホームセキュリティ情報の収集元の家庭に対して連絡情報が発生する場合に、それを受け渡す手段とを備えるように構成する。
【００１３】
以上の各処理手段が動作することで実現される本発明のホームセキュリティ連携方法はコンピュータプログラムで実現できるものであり、このコンピュータプログラムは、半導体メモリなどのような適当な記録媒体に記録して提供したり、ネットワークを介して提供することができる。
【００１４】
このように構成される本発明のホームセキュリティサーバ装置では、予め家庭から、例えば、近隣でこういう訪問者の訪問があった場合にはそれを通知して欲しいとか、近隣でこういう異常事態が発生した場合にはそれを通知して欲しいというようなことを指示する通知条件を受け取っておく。
【００１５】
そして、家庭で検出された訪問者情報や異常検出情報などのホームセキュリティ情報を収集すると、その収集元の家庭が通知条件の発行元の家庭の近隣に位置するのかを判断するとともに、近隣に位置する家庭である場合には、その収集したホームセキュリティ情報が通知条件を充足するのかを判断して、これらに該当するホームセキュリティ情報であることを判断する場合には、通知条件の発行元の家庭に対して、そのホームセキュリティ情報を通知する。そして、この通知に応答して、通知条件の発行元の家庭からホームセキュリティ情報の収集元の家庭に対して連絡情報が発生する場合には、それを受け渡すように処理する。
【００１６】
このようにして、本発明によれば、近隣で発生した異常事態を近隣で共有できるようになる。
【００１７】
〔３〕また、上記の目的を達成するために、本発明のホームセキュリティサーバ装置は、複数の家庭に接続されて、それらの家庭のホームセキュリティ処理を実行するために、（イ）家庭で検出されたホームセキュリティ処理のための情報（ホームセキュリティ情報）を収集する収集手段と、（ロ）収集手段の収集したホームセキュリティ情報を記憶手段に登録する登録手段と、（ハ）家庭からのホームセキュリティ情報の問い合わせに応答して、その問い合わせを行った家庭の近隣に位置する家庭を検索する検索手段と、（ニ）記憶手段に登録されている検索手段の検索した家庭のホームセキュリティ情報が問い合わせのあるホームセキュリティ情報に該当するのかを判断する判断手段と、（ホ）判断手段により、問い合わせのあるホームセキュリティ情報に該当することを判断する場合に、問い合わせ元の家庭に対して、そのホームセキュリティ情報を通知する通知手段とを備えるように構成する。
【００１８】
以上の各処理手段が動作することで実現される本発明のホームセキュリティ連携方法はコンピュータプログラムで実現できるものであり、このコンピュータプログラムは、半導体メモリなどのような適当な記録媒体に記録して提供したり、ネットワークを介して提供することができる。
【００１９】
このように構成される本発明のホームセキュリティサーバ装置では、家庭で検出された訪問者情報や異常検出情報などのホームセキュリティ情報を収集すると、その収集したホームセキュリティ情報を記憶手段に登録しておく。
【００２０】
そして、このようなホームセキュリティ情報が発生している場合にはそれについて知らせて欲しいという問い合わせがあると、その問い合わせを行った家庭の近隣に位置する家庭を検索して、その検索した家庭から収集したホームセキュリティ情報の中で問い合わせのあるものに該当するものがある場合には、それを問い合わせ元の家庭に通知するように処理する。
【００２１】
このようにして、本発明によれば、近隣で発生した異常事態を近隣で共有できるようになる。
【発明の効果】
【００２２】
本発明によれば、近隣で発生した異常事態などを近隣で共有できるようになることで、各家庭のホームセキュリティを高めることができるようになる。
【００２３】
これから、各家庭は、近隣の家庭に火災やガス漏れなどが発生するときに、それを知ることができるようになる。
【００２４】
そして、各家庭は、近隣の家庭に訪ねてきて欲しい販売員などが訪問するときに、それを知ることができることで、その訪問を促すことができるようになる。
【００２５】
そして、各家庭は、自宅に販売員などが訪問してくるときに、近隣の家庭からその販売員についての情報を得ることができるようになる。
【発明を実施するための最良の形態】
【００２６】
図１に、本発明の適用されるシステムの構成例を図示する。
【００２７】
図中、１０は本発明を具備するホームセキュリティサーバ装置、２０-i（ｉ＝１〜ｎ）はホームセキュリティサーバ装置１０を運営する会社との間でホームセキュリティサービスの契約を行ったユーザの操作する端末装置、２１-i（ｉ＝１〜ｎ）は端末装置２０-iに対応付けて備えられるユーザの携帯する表示装置、３０はホームセキュリティサーバ装置１０と端末装置２０-iとの間を接続するネットワークである。
【００２８】
本発明のホームセキュリティサーバ装置１０は、端末装置２０-iとの間で情報のやり取りを行う送受信手段１０１と、記憶手段１０２と、ユーザ情報データベース（ユーザ情報ＤＢ）１０３とを備える。
【００２９】
一方、端末装置２０-iは、ホームセキュリティサーバ装置１０及び表示装置２１-iとの間で情報のやり取りを行う送受信手段２０１-iと、訪問者などの人物を検出する人物検出手段２０２-iと、ガス漏れなどの異常を検知する異常検出手段２０３-iとを備え、また、表示装置２１-iは、端末装置２０-iとの間で情報のやり取りを行う送受信手段２１１-iと、ユーザに情報を提示する表示手段２１２-iとを備える。
【００３０】
図２に、本発明のホームセキュリティサーバ装置１０により実現されるホームセキュリティサービスの一実施形態例を図示する。
【００３１】
この実施形態例に従う場合には、図１に示したユーザ情報データベース１０３は、図３に示すように、ユーザ名に対応付ける形で、緯度・経度で示されるユーザの住所情報と、ユーザの操作する端末装置２０-iのＩＰアドレス情報とを管理する。
【００３２】
次に、図２に示すホームセキュリティサービスについて説明する。ここで、この実施形態例では、「ユーザＡ」の家庭内で異常事態が発生したことを想定している。
【００３３】
「ユーザＡ」宅に設置される端末装置２０-iは、ガス漏れなどの異常を検出すると（ステップＳ１０１１）と、「ユーザＡ」に異常を知らせると同時に、ホームセキュリティサーバ装置１０に異常を送信する（ステップＳ１０１２）。
【００３４】
この送信を受けて、ホームセキュリティサーバ装置１０は、「ユーザＡ」宅からの異常検出情報を受信して、「ユーザＡ」の情報（住所情報など）と対応をとりつつ記憶手段１０２に記録する（ステップＳ１０１３）。続いて、ユーザ情報データベース１０３に管理されるユーザの住所情報を使って、「ユーザＡ」の近隣に住むユーザを検索する（ステップＳ１０１４）。
【００３５】
例えば、「ユーザＡ」宅の緯度・経度から規定の距離の範囲に入る緯度・経度を住所とするユーザを検索することで、「ユーザＡ」の近隣に住むユーザ（複数のこともある）を検索するのである。ここでは、説明の便宜上、「ユーザＢ」を検索したことを想定する。
【００３６】
ホームセキュリティサーバ装置１０は、「ユーザＡ」の近隣に住む「ユーザＢ」を検索すると、記憶手段１０２から「ユーザＡ」宅の異常情報・住所情報を読み出して、近隣のユーザである「ユーザＢ」に送信する（ステップＳ１０１５）。
【００３７】
この送信を受けて、「ユーザＢ」宅に設置される端末装置２０-iは、ホームセキュリティサーバ装置１０から送られてくる近隣に住む「ユーザＡ」宅の異常情報・住所情報を受信する（ステップＳ１０１６）。そして、最後に、対となる表示装置２１-iを使って、その受信した異常情報・住所情報を「ユーザＢ」に通知する。
【００３８】
このようにして、図４に示すように、「ユーザＡ」宅で「ガス漏れセンサ」が反応した場合、その情報は「ユーザＡ」に通知されると同時にホームセキュリティサーバ装置１０に通知され、これを受けて、ホームセキュリティサーバ装置１０は、ガス漏れセンサが反応した「ユーザＡ」宅の位置情報を元に、近隣の住民にその情報を同報通信して注意を促すのである。なお、「ユーザＡ」や「ユーザＢ」は自宅ではなくて外部にいることもありうる。
【００３９】
図５に、本発明のホームセキュリティサーバ装置１０により実現されるホームセキュリティサービスの他の実施形態例を図示する。
【００４０】
この実施形態例に従う場合には、図１に示したユーザ情報データベース１０３は、図６に示すように、ユーザ名に対応付ける形で、緯度・経度で示されるユーザの住所情報と、ユーザの操作する端末装置２０-iのＩＰアドレス情報と、ユーザのところに訪問してきた訪問者の映像情報と、その訪問者についてのコメント情報（人物情報）とを管理する。
【００４１】
図２に示した実施形態例では、ホームセキュリティサーバ装置１０は、ある家庭でホームセキュリティ情報が発生すると、そのホームセキュリティ情報を近隣のユーザに無条件に通知するようにしているが、この実施形態例では、各家庭で発生したホームセキュリティ情報を保存しておいて、ユーザからホームセキュリティ情報の問い合わせがあるときに、そのユーザの近隣の家庭で発生したホームセキュリティ情報の中に該当するものがある場合には、それをそのユーザに通知するようにしている。
【００４２】
次に、図５に示すホームセキュリティサービスについて説明する。ここで、この実施形態例では、ホームセキュリティ情報として訪問者の情報（映像情報・人物情報）を保存することを想定しており、さらに、「訪問者ａ」が「ユーザＡ」のところを訪問し、その後、その「訪問者ａ」が「ユーザＢ」のところを訪問することを想定している。
【００４３】
「ユーザＡ」宅に設置される端末装置２０-iは、「訪問者ａ」の訪問を検出すると（ステップＳ２０１１）と、「ユーザＡ」に「訪問者ａ」の訪問を知らせると同時に、ホームセキュリティサーバ装置１０に「訪問者ａ」の情報（映像情報・人物情報）を送信する（ステップＳ２０１２）。ここで、このとき送信する人物情報とはテキストで記述されるものであり、「ユーザＡ」や「ユーザＡ」宅に設けられる各種センサから取得することになる。
【００４４】
この送信を受けて、ホームセキュリティサーバ装置１０は、「ユーザＡ」宅から送られてきた「訪問者ａ」の情報（映像情報・人物情報）を受信して、「ユーザＡ」の情報（住所情報など）と対応をとりつつユーザ情報データベース１０３に登録する（ステップＳ２０１３）。
【００４５】
この後、「訪問者ａ」が「ユーザＢ」宅を訪問することが起こると、「ユーザＢ」は、「訪問者ａ」がどのような人物であるのかについての情報を得るべく、ホームセキュリティサーバ装置１０に対して、「訪問者ａ」の映像情報を指定して「訪問者ａ」についての人物情報の提供を要求することになる。
【００４６】
これから、「ユーザＢ」宅に設置される端末装置２０-iは、「ユーザＢ」の指示に応答して、ホームセキュリティサーバ装置１０に対して、「訪問者ａ」の映像情報を指定して「訪問者ａ」についての人物情報の問い合わせを行う（ステップＳ２０１４）。
【００４７】
この問い合わせを受けて、ホームセキュリティサーバ装置１０は、ユーザ情報データベース１０３に管理されるユーザの住所情報を使って、問い合わせ元である「ユーザＢ」の近隣に住むユーザを検索する（ステップＳ２０１５）。
【００４８】
例えば、「ユーザＢ」宅の緯度・経度から規定の距離の範囲に入る緯度・経度を住所とするユーザを検索することで、「ユーザＢ」の近隣に住むユーザ（複数のこともある）を検索するのである。ここでは、説明の便宜上、「ユーザＡ」を検索したことを想定する。
【００４９】
ホームセキュリティサーバ装置１０は、「ユーザＢ」の近隣に住む「ユーザＡ」を検索すると、ユーザ情報データベース１０３から、「ユーザＡ」を訪問した「訪問者ａ」の映像情報を読み出し、「ユーザＢ」の問い合わせで指定される映像情報とのパターンマッチング処理に従って、その読み出した「訪問者ａ」の映像情報が問い合わせのある映像情報であることを検出することになるので、この検出を行うと、ユーザ情報データベース１０３から、その「訪問者ａ」の人物情報（「ユーザＡ」から取得している）を読み出して、問い合わせ元である「ユーザＢ」宅に送信する（ステップＳ２０１６）。
【００５０】
この送信を受けて、「ユーザＢ」宅に設置される端末装置２０-iは、ホームセキュリティサーバ装置１０から、近隣に住む「ユーザＡ」を訪問した「訪問者ａ」の人物情報を受信する（ステップＳ２０１７）。そして、最後に、対となる表示装置２１-iを使って、その受信した「訪問者ａ」の人物情報を「ユーザＢ」に通知する。
【００５１】
このようにして、図７に示すように、「ユーザＡ」宅に「訪問者ａ」（例えば、新聞勧誘、訪問者販売など）が訪れた際に、ホームセキュリティサーバ装置１０に、「訪問者ａ」の映像情報が登録されるとともに、「ユーザＡ」や「ユーザＡ」宅に設けられる各種センサから取得される「訪問者ａ」の人物情報が登録されることになる。そして、その「訪問者ａ」が「ユーザＡ」の近隣に住む「ユーザＢ」を訪問した際に、「ユーザＢ」の問い合わせに応答して、「ユーザＡ」の登録した人物情報が「ユーザＢ」に通知されることになるので、「ユーザＢ」は、「訪問者ａ」がどんな人物であるのか予め判断できることで、「訪問者ａ」に適切に対処できるようになる。例えば、「ユーザＢ」にとって「訪問者ａ」は不快な人物であると判断するときには、対応をまったくしないこともできるようになる。
【００５２】
図８に、本発明のホームセキュリティサーバ装置１０により実現されるホームセキュリティサービスの他の実施形態例を図示する。
【００５３】
この実施形態例に従う場合には、図１に示したユーザ情報データベース１０３は、図９に示すように、ユーザ名に対応付ける形で、緯度・経度で示されるユーザの住所情報と、ユーザの操作する端末装置２０-iのＩＰアドレス情報と、ユーザが訪問して欲しいと考えている訪問希望者の映像情報と、その訪問希望者についてのコメント情報（人物情報）とを管理する。
【００５４】
図２に示した実施形態例では、ホームセキュリティサーバ装置１０は、ある家庭でホームセキュリティ情報が発生すると、そのホームセキュリティ情報を近隣のユーザに無条件に通知するようにしているが、この実施形態例では、ユーザから、こういうホームセキュリティ情報が発生する場合には通知して欲しいと通知条件を予め登録しておいて、その通知条件に合致するホームセキュリティ情報が近隣で発生した場合に、それをそのユーザに通知するようにしている。
【００５５】
次に、図８に示すホームセキュリティサービスについて説明する。ここで、この実施形態例では、「ユーザＢ」が「訪問者β」の訪問を希望していて、その「訪問者β」の情報をホームセキュリティサーバ装置１０に予め登録することを想定しており、さらに、その「訪問者β」が「ユーザＡ」のところを訪問することを想定している。
【００５６】
「ユーザＢ」は「訪問者β」に訪問して欲しいと希望する場合には、ホームセキュリティサーバ装置１０に対して、「訪問者β」の情報を登録することになる。ここで、登録する情報についてはテキスト情報のみの登録でもよいが、映像情報がある場合には、テキスト情報とともに映像情報を登録することになる。
【００５７】
これから、「ユーザＢ」宅に設置される端末装置２０-iは、ホームセキュリティサーバ装置１０に対して、「ユーザＢ」の指示に応答して、「訪問者β」の情報（映像情報・人物情報）の登録を要求する（ステップＳ３０１１）。
【００５８】
この登録要求を受けて、ホームセキュリティサーバ装置１０は、「ユーザＢ」宅から送られてくる「訪問者β」の情報（映像情報・人物情報）を受信して、「ユーザＢ」の情報（住所情報など）と対応をとりつつユーザ情報データベース１０３に登録する（ステップＳ３０１２）。
【００５９】
この後、「訪問者β」が「ユーザＡ」宅を訪問することが起こると、「ユーザＡ」宅に設置される端末装置２０-iは、「訪問者β」の訪問を検出して（ステップＳ３０１３）、「ユーザＡ」に「訪問者β」の訪問を知らせると同時に、ホームセキュリティサーバ装置１０に「訪問者β」の映像情報を送信する（ステップＳ３０１４）。このとき、「ユーザＡ」や「ユーザＡ」宅に設けられる各種センサから「訪問者β」の属性情報（テキストで表される人物情報）が得られているときには、その属性情報についても送信することになる。
【００６０】
この送信を受けて、ホームセキュリティサーバ装置１０は、「ユーザＡ」宅から送られてくる「訪問者β」の情報（映像情報・人物情報）を受信する（ステップＳ３０１５）。
【００６１】
ホームセキュリティサーバ装置１０は、続いて、「ユーザＡ」の近隣に住むユーザを検索するとともに、その検索したユーザについて、受信した「訪問者β」の情報（映像情報・人物情報）と、ユーザ情報データベース１０３に管理されるその検索したユーザの訪問希望者情報（映像情報・人物情報）とのマッチング（映像と映像およびテキストとテキストのマッチング）を行うことで、受信した「訪問者β」を訪問希望者として登録している「ユーザＡ」の近隣に住むユーザを検索して、そのユーザに対して、受信した「訪問者β」の情報（映像情報・人物情報）を送信する（ステップＳ３０１６）。
【００６２】
この例では、「ユーザＡ」の近隣に住むユーザとして「ユーザＢ」を検索することになり、さらに、マッチングにより、「ユーザＢ」が「ユーザＡ」のところを訪問した「訪問者β」を訪問希望者としていることが分かるので、「ユーザＢ」に対して、「ユーザＡ」宅から受信した「訪問者β」の情報（映像情報・人物情報）を送信することになる。
【００６３】
この送信を受けて、「ユーザＢ」宅に設置される端末装置２０-iは、ホームセキュリティサーバ装置１０から、「ユーザＢ」の登録情報に近い訪問者情報を受信する（ステップＳ３０１７）。この例の場合には、「ユーザＢ」の登録情報と一致する「訪問者β」の情報を受信することになる。
【００６４】
「ユーザＢ」宅に設置される端末装置２０-iは、続いて、対となる表示装置２１-iを使って、その受信した「訪問者β」の情報（映像情報・人物情報）を「ユーザＢ」に通知する（ステップＳ３０１８）。
【００６５】
この通知に応答して、「ユーザＢ」は「訪問者β」の訪問を希望するのか否かを最終的に入力してくるので、「ユーザＢ」宅に設置される端末装置２０-iは、この入力に従って「ユーザＢ」が「訪問者β」の訪問を希望するのかを判断して（ステップＳ３０１９）、「ユーザＢ」が「訪問者β」の訪問を希望する場合には、ホームセキュリティサーバ装置１０を介して、「ユーザＡ」宅に対して、「訪問者β」の「ユーザＢ」宅への訪問を要求する（ステップＳ３０２０）。
【００６６】
この要求が発行されると、ホームセキュリティサーバ装置１０は、この要求を受け取って「ユーザＡ」宅に送信し（ステップＳ３０２１）、これを受けて、「ユーザＡ」宅に設置される端末装置２０-iは、「ユーザＢ」が「訪問者β」の訪問を希望しているという情報を受信して、それを「訪問者β」に伝える。
【００６７】
このようにして、図１０に示すように、「ユーザＢ」は「訪問者β」に訪問して欲しいと希望する場合には、ホームセキュリティサーバ装置１０に、「訪問者β」の情報（映像情報・人物情報）を登録する。そして、その「訪問者β」が「ユーザＢ」の近隣に住む「ユーザＡ」宅に訪問した際に、「訪問者β」が近くにいることが「ユーザＢ」に通知されることになるので、「ユーザＢ」は、例えばホームセキュリティサーバ装置１０を介して「訪問者β」と連絡することで、「訪問者β」に対して、その訪問を促すことができるようになる。
【図面の簡単な説明】
【００６８】
【図１】本発明の適用されるシステムの構成例である。
【図２】本発明により実現されるホームセキュリティサービスの一実施形態例である。
【図３】ユーザ情報データベースの管理データの一例を示す図である。
【図４】本発明により実現されるホームセキュリティサービスの説明図である。
【図５】本発明により実現されるホームセキュリティサービスの他の実施形態例である。
【図６】ユーザ情報データベースの管理データの一例を示す図である。
【図７】本発明により実現されるホームセキュリティサービスの説明図である。
【図８】本発明により実現されるホームセキュリティサービスの他の実施形態例である。
【図９】ユーザ情報データベースの管理データの一例を示す図である。
【図１０】本発明により実現されるホームセキュリティサービスの説明図である。
【符号の説明】
【００６９】
１０    ホームセキュリティサーバ装置
２０    端末装置
２１    表示装置
３０    ネットワーク
１０１  送受信手段
１０２  記憶手段
１０３  ユーザ情報データベース
２０１  送受信手段
２０２  人物検出手段
２０３  異常検出手段
２１１  送受信手段
２１２  表示手段
【図１】
2005062998.tif 000003
【図２】
2005062998.tif 000004
【図３】
2005062998.tif 000005
【図４】
2005062998.tif 000006
【図５】
2005062998.tif 000007
【図６】
2005062998.tif 000008
【図７】
2005062998.tif 000009
【図８】
2005062998.tif 000010
【図９】
2005062998.tif 000011
【図１０】
2005062998.tif 000012